(57)【要約】      （修正有）【課題】長時間使用しても、水中の夾雑物や汚れによる作動阻害や機能喪失の問題がないガス流体検出始動式オゾン供給装置を提供する。【解決手段】オゾン供給装置は、ハウジング、排出導管、オゾン生成器、気流検出ユニット、コントローラを備える。気流検出ユニットは、ハウジングにある送気部とオゾン生成器の間に設けられ、排出導管は、接続端と延伸端を備え、接続端は、ハウジングにあるオゾン排出口と組み合わされて、接続し、延伸端は、オゾンの使用される予定対象物まで延びて、接続する。予定対象物は、排出導管に負圧状態を生じさせるために、吸引流が発生するように設けられ、それにより、空気の負圧に動かされて、オゾン生成のオン・オフを制御できる。【選択図】図８
0003180039.tif 000002
【実用新案登録請求の範囲】
【請求項１】
中空筐体からなる収納空間のハウジングと、
前記ハウジングの外部または内部の一ヶ所に配置され、外部空気を導入するための送気部と、
前記ハウジングの他所に配置され、逆流防止のためのチェック弁が設けられた、オゾンを排出するためのオゾン排出口と、
接続端と延伸端とを備えてなる排出導管とを備え、前記接続端は、前記オゾン排出口に組合されて接続し、前記延伸端は、オゾンの使用される予定対象物まで延びて接続し、前記予定対象物は、前記排出導管に負圧状態を生じさせるために、吸引流が発生するように設けられ、
前記ハウジングの前記収納空間内の一ヶ所に配置されたオゾンを生成するためのオゾン生成器を備え、前記オゾン生成器は、ガス導入部、オゾン導出部、及び前記ガス導入部と前記オゾン導出部との間にあるオゾン生成部を備え、前記オゾン導出部は、前記オゾン排出口と接続し、
前記送気部と前記オゾン生成器との間に配置される気流検出ユニットを備え、前記気流検出ユニットは、
縦向きに配置され、下入口端、上出口端及び前記上出口端と前記下入口端との間にあるガイド区間を備えてなるガイド管を備え、前記上出口端は、継ぎ管を通じて、前記オゾン生成器の前記ガス導入部に接続するとともに、前記下入口端は前記送気部に接続し、
昇降可能で、上下限リミット位置が設定された前記ガイド管の前記ガイド区間に配置されている可動磁気検出部を備え、前記可動磁気検出部の片側には磁気体が設けられ、前記排出導管が負圧になったとき、前記負圧に動かされ、前記可動磁気検出部が浮き上がるように設けられ、
前記ガイド管の片側に設けられ、ホール効果装置付きの検出回路板を備え、前記ホール効果装置が前記検出回路板の片側に設けられることにより、前記可動磁気検出部が浮き上がると、前記磁気体は前記ホール効果装置に対応して、前記ホール効果装置に検出信号を生じさせ、
前記ハウジングの前記収納空間内の一ヶ所に設けられるコントローラを備え、前記コントローラは、前記検出回路板、前記オゾン生成器と電気的に接続され、前記ホール効果装置からの検出信号を受信すると、前記オゾン生成器の前記オゾン生成部をオンにして稼動させ、逆に、前記ホール効果装置から検出信号を受信していないと、前記コントローラが前記オゾン生成器の前記オゾン生成部の稼動をストップさせ、
空気の負圧に動かされて、オゾンの生成のオン・オフを制御できるオゾン供給装置の構造を成していることを特徴とするガス流体検出始動式オゾン供給装置。
【請求項２】
前記ガイド管の前記ガイド区間は非円形の横断面形を有し、前記可動磁気検出部の横断面形は、前記ガイド区間の前記横断面形に合わせるように設けられ、前記可動磁気検出部の昇降時に回転させずに方向を固定させ、前記可動磁気検出部にある前記磁気体の向きを常時に、前記ホール効果装置がある方向に向けさせるように設けられていることを特徴とする請求項１に記載のガス流体検出始動式オゾン供給装置。
【請求項３】
オゾンの使用される前記予定対象物は、既存の蛇口の出水端に取り付けられた混合器であり、前記混合器は、前記排出導管の前記延伸端に嵌め込まれて接続し、前記蛇口の前記出水端から水が流れてくると、前記吸引流が発生して、前記排出導管内の空気を引き出し、前記排出導管が負圧になり、更に、前記ガイド管の前記ガイド区間にある前記可動磁気検出部が前記負圧で動かされ、浮き上がるように設けられていることを特徴とする請求項１に記載のガス流体検出始動式オゾン供給装置。
【請求項４】
前記可動磁気検出部には更に、貫通している通気部があり、前記通気部は、前記可動磁気検出部を貫通している通し穴からなり、または、前記可動磁気検出部の周りにリブが設けられ、各前記リブの間に開けられた空間が前記通気部になり、前記リブは、前記ガイド管の前記ガイド区間と接触し、前記可動磁気検出部の昇降時に生じられる摩擦抵抗力を低減させるように設けられていることを特徴とする請求項１乃至３のいずれか１項に記載のガス流体検出始動式オゾン供給装置。
【請求項５】
前記ハウジングにある前記送気部には更に、ろ過ユニットが設けられていることを特徴とする請求項１に記載のガス流体検出始動式オゾン供給装置。
【考案の詳細な説明】
【技術分野】
【０００１】
本考案は、ガス流体検出始動式オゾン供給装置に関わり、空気の負圧に動かされることによって、オゾン生成のオフ・オフを制御できるオリジナルな設計形態に関する。
【背景技術】
【０００２】
オゾン（化学式Ｏ３）は、酸素（Ｏ２）の同素体であり、短時間で、空気中の浮游菌を消滅、毒素を中和、分解、悪臭を除去することができるため、空気や飲用水の浄化、殺菌などに関わる用途に広く用いられている。
【０００３】
現在、多種多様なオゾン生成装置が市販されており、その中、既存の蛇口に取り付けられ、給水の殺菌、浄化を行う装置がよく見られる形態で、本考案で検討する技術分野でもある。
【０００４】
従来のオゾン生成装置の構造形態は、実際に応用された経験から、幾つかの問題点が存在している。典型的な例としては、従来のオゾン生成装置の水流検知の開閉制御構造にあっては、通常は、蛇口の給水路にリードスイッチが配置されることになっており、このような構造では、給水路の内部には固定磁石と可動磁石を、給水路の外側には検出スイッチ接点を設置する必要があり、そこで、応用の時、給水時の給水圧を利用して、可動磁石を固定磁石に向けるよう、検出スイッチとの接点に対応した位置まで移動させることになっており、その時、磁力で、検出スイッチ接点がつくようになり、オゾン生成装置をオンにして稼動させることになるが、給水停止が行われると、可動磁石が固定磁石との反発力によって、元の位置に戻って、検出スイッチ接点が離れ、オゾン生成装置をオフにすることになるが、しかし、このような従来の構造では、オゾン生成装置の水流検知による開閉制御構造は、給水路に配置されているため、給水路の水流が順調に行われることにも、水の流量にも大きく影響する欠点があると同時に、水中の夾雑物や汚れなどで、可動磁石の作動を阻害したりして、機能を喪失させる恐れがあること、それに、可動磁石や固定磁石が長時間で水流の中に置かれているため、その変質による水質への汚染に関する問題も、業者や使用者にとっても、かなり懸念することでもある。
【０００５】
それゆえ、上述した従来のオゾン生成装置に存在している問題点について、より理想的で、実用性のあるオリジナルな構造を開発するのが、関連業界がそれに取り組んで、実現する目標と方向でもある。
【０００６】
それに鑑みて、発明者は関連製品の製造開発と設計に携わる長年の経験を持っており、上述の目標について詳しく設計を行い、慎重に評価したうえ、ようやく実用性のある本考案を得られたわけである。
【考案の概要】
【考案が解決しようとする課題】
【０００７】
本考案は、ガス流体検出始動式オゾン供給装置を提供することを目的とし、解決しようとする課題は、より理想的で実用性のある新型オゾン供給装置を提供することにある。
【課題を解決するための手段】
【０００８】
本考案の課題を解決しようとする技術的特徴は、中空筐体からなる収納空間のハウジングと、ハウジングの外部または内部の一ヶ所に配置され、外部空気を導入するための送気部と、ハウジングの他所に配置され、逆流防止のためのチェック弁が設けられた、オゾンを排出するためのオゾン排出口と、接続端と延伸端とを備えてなる排出導管とを備え、接続端は、オゾン排出口に組合されて接続し、延伸端は、オゾンの使用される予定対象物まで延びて接続し、予定対象物は、排出導管に負圧状態を生じさせるために、吸引流が発生するように設けられ、ハウジングの収納空間内の一ヶ所に配置されたオゾンを生成するためのオゾン生成器を備え、オゾン生成器は、ガス導入部、オゾン導出部、及びガス導入部とオゾン導出部との間にあるオゾン生成部を備え、オゾン導出部は、オゾン排出口と接続し、送気部とオゾン生成器との間に配置される気流検出ユニットを備え、気流検出ユニットは、縦向きに配置され、下入口端、上出口端及び上出口端と下入口端との間にあるガイド区間を備えてなるガイド管を備え、上出口端は、継ぎ管を通じて、オゾン生成器のガス導入部に接続するとともに、下入口端は送気部に接続し、昇降可能で、上下限リミット位置が設定され、ガイド管のガイド区間に配置されている可動磁気検出部を備え、可動磁気検出部の片側には磁気体が設けられ、排出導管が負圧になったとき、負圧に動かされ、可動磁気検出部が浮き上がるように設けられ、ガイド管の片側に設けられ、ホール効果装置付きの検出回路板を備え、ホール効果装置が検出回路板の片側に設けられることにより、可動磁気検出部が浮き上がると、磁気体はホール効果装置に対応して、ホール効果装置に検出信号を生じさせ、ハウジングの収納空間内の一ヶ所に設けられるコントローラを備え、コントローラは、検出回路板、オゾン生成器と電気的に接続され、ホール効果装置からの検出信号を受信すると、オゾン生成器のオゾン生成部をオンにして稼動させ、逆に、ホール効果装置から検出信号を受信していないと、コントローラがオゾン生成器のオゾン生成部の稼動をストップさせることになることを特徴とするガス流体検出始動式オゾン供給装置である。このようなオリジナルな設計による本考案は背景技術に比べると、水流が導かれて出ると同時に、吸引流が生じて、排出導管内の空気を引き出して、排出導管が負圧になるが、そこで、空気の負圧に動かされることによって、オゾン生成のオン・オフを制御することになっているため、水流検知による開閉制御構造が給水路に配置されている従来の構造形態に対して、長期間使用していても、給水路の水流や流量が順調に行われることを維持でき、水中の夾雑物や汚れなどによる可動磁気検出部の作動への阻害、ないし機能喪失などの問題もなく、更に、実用性と使用上の利便性などの実用効果が大幅に向上するものである。
【考案の効果】
【０００９】
本考案による効果の向上の事実は次の通りである。
【００１０】
本考案に掲示した“ガス流体検出始動式オゾン供給装置”は、ハウジング、排出導管、オゾン生成器、気流検出ユニット、コントローラを備えてなるオリジナルな構造設計である。本考案は、背景技術に対して、水流が導かれて出ると同時に、吸引流が生じて、排出導管内の空気を引き出して、排出導管が負圧になるが、そこで、空気の負圧に動かされることによって、オゾン生成のオン・オフを制御することになっている。このため、従来の構造における水流検知の開閉制御構造が給水路に配置されている形態に対して、長期間使用していても、給水路の水流や流量が順調に行われることを維持でき、水中の夾雑物や汚れなどによる可動磁気検出部の作動への阻害、ないし機能喪失などの問題もなく、更に、実用性と使用上の利便性など実用効果が大幅に向上するものである。
【図面の簡単な説明】
【００１１】
【図１】本考案のオゾン供給装置の組立立体外観図。
【図２】本考案のオゾン供給装置の内部構造立体図。
【図３】本考案のオゾン生成器と気流検出ユニットの立体拡大図。
【図４】本考案の実施形態の立体図。
【図５】本考案の可動磁気検出部の設置形態の立体分解図。
【図６】本考案の可動磁気検出部のもう一つの実施形態の立体図。
【図７】本考案の可動磁気検出部のまたもう一つの実施形態の立体図。
【図８】本考案のオゾン供給装置の実施作動状態のイメージ。
【図９】本考案のオゾン供給装置の構成部品間の動作メカニズムのブロック図。
【考案を実施するための形態】
【００１２】
図１〜図５に示すのは、本考案のガス流体検出始動式オゾン供給装置の好適な実施例であり、ただし、これらの実施例は説明のみに用いられるもので、実用新案登録請求の範囲は、それらの構造に限定されないものとする。
【００１３】
ガス流体検出始動式オゾン供給装置０５には、中空筐体からなる収納空間１１のハウジング１０、ハウジング１０の外部または内部の一ヶ所に配置され、外部空気を導入するための送気部２０（本実施例は外部に設置される場合を例とする）、およびハウジングの他所に配置され、オゾンを排出するためのオゾン排出口３０が備わっている。オゾン排出口３０には更に、逆流防止のためのチェック弁３１（図１にのみ表示）が備わっている。オゾン供給装置０５には、接続端４１と延伸端４２を備えてなる排出導管４０が備わる。接続端４１は、オゾン排出口３０に組み合わされて接続し、延伸端４２は、オゾンの使用される予定対象物０６まで延びて接続するが、予定対象物０６は、排出導管４０に負圧状態を生じさせるために、吸引流が発生するように設けられている。オゾン供給装置０５には、ハウジング１０の収納空間１１内の一ヶ所に配置され、オゾンを生成するためのオゾン生成器５０が備わり、オゾン生成器５０は、ガス導入部５１、オゾン導出部５２、及びガス導入部５１とオゾン導出部との間５２にあるオゾン生成部５３を備えている。オゾン導出部５２は、オゾン排出口３０と接続している。オゾン供給装置０５には、送気部２０とオゾン生成器５０との間に配置される気流検出ユニット６０が備わる。気流検出ユニット６０は、縦向きに配置され、下入口端６１１、上出口端６１２及び上出口端６１２と下入口端６１１との間にあるガイド区間６１３を備えてなるガイド管６１を備える。上出口端６１２は、継ぎ管６１４を通じて、オゾン生成器５０のガス導入部５１に、下入口端６１１は送気部２０に接続しており、昇降可能で、上下限リミット位置が設定され、ガイド管６１のガイド区間６１３に配置されている可動磁気検出部６２が備えられる。可動磁気検出部６２の片側には磁気体６３が設けられ、排出導管４０が負圧になったとき、それに動かされ、可動磁気検出部６２が浮き上がるように設けられている。ガイド管６１の片側に設けられた、ホール効果装置６４付きの検出回路板６５が備えられている。ホール効果装置６４が検出回路板６５の片側に設けられることにより、可動磁気検出部６２が浮き上がると、磁気体６３はホール効果装置６５に対応して、ホール効果装置６５に検出信号を生じさせることになっている。オゾン供給装置０５には、ハウジング１０の収納空間１１内の一ヶ所に設けられるコントローラ７０が備えられ（図２）、コントローラ７０は、検出回路板６５、オゾン生成器５０と電気的に接続することになっている。コントローラ７０は、ホール効果装置６４からの検出信号を受信すると、オゾン生成器５０のオゾン生成部５３をオンにして稼動させることになる。逆に、ホール効果装置６４から検出信号を受信していないと、コントローラ７０がオゾン生成器５０のオゾン生成部５３の稼動をストップさせることになっている。それにより、空気の負圧に動かされて、オゾンの生成のオン・オフを制御できるオゾン供給装置の構造を成していることを特徴とするガス流体検出始動式オゾン供給装置０５である。
【００１４】
上述した構造、組合せ形態と設計により、本考案の具体的な実施形態について次のように説明する。
【００１５】
図１、図３に示すように、ハウジング１０の送気部２０には更に、ろ過ユニット２１が設けられており、ろ過ユニット２１はスポンジのほうがよいが、それに限らない。
【００１６】
図５に示すように、ガイド管６１のガイド区間６１３の横断面形は、矩形、方形、長形、多辺形などのような非円形にされるが、可動磁気検出部６２の横断面形は、ガイド区間６１３の横断面形に合わせるようにされる。それにより、可動磁気検出部６２の昇降しているところを回転させずに方向を固定させ、可動磁気検出部６２にある磁気体６３の向きを常時に、ホール効果装置６４がある方向に向けさせるように設けられている。
【００１７】
図７に示すように、可動磁気検出部６２には更に、貫通している通気部６６がある。通気部６６は、可動磁気検出部６２を貫通している通し穴からなる。または、図６に示すように、可動磁気検出部６２の周りにリブ８０が設けられ、各リブ８０の間に開けられた空間が通気部６６になる。リブ８８０は、ガイド管６１のガイド区間６１３と接触し、可動磁気検出部６２の昇降時に生じられる摩擦抵抗力を低減させ、可動磁気検出部６２がより円滑に昇降できるように設けられている。
【００１８】
なお、図７に示す可動磁気検出部６２は、円柱形に設けられているが、これは、可動磁気検出部６２の外観の具体的な実施可能な形態でもある。
【００１９】
続いて、本考案の使用状態について、次のように説明する。
【００２０】
図２〜図４、及び図８、図９に示すのは、本考案の好適な実施形態の動作状況である。オゾンの使用される予定対象物０６は、既存の蛇口Ａの出水端Ａ１に取り付けられた混合器１２でもよい。混合器１２は、既有の水流と空気を混合する構成部品であり、本考案に掲示したオゾン供給装置０５の排出導管４０の延伸端４２に組み合わされて、接続しており、使用者が蛇口Ａをひねると、出水端Ａ１から水が流れてくる（図８の矢印Ｌ１）。そこで、混合器１２には、吸引流が生じて、排出導管４０内の空気を、オゾン生成器のガス導入部５１から引き出す（図８の矢印Ｌ２）。それに伴い、排出導管４０が負圧になり、それに動かされ、ガイド管６１のガイド区間６１３にある可動磁気検出部６２が動き上がるようになり、更に、磁気体６３の生じた磁場（図８の矢印Ｌ３）を通じて、ホール効果装置６４に検出信号が生じることになる。コントローラ７０は、検出信号を受信すると、オゾン生成器５０のオゾン生成部５３をオンにし、オゾンを生成して、オゾンは、排出導管４０を通って、水流と共に出てくる（図８の矢印Ｌ４）。逆に、給水停止が行われると、負圧状態が解除され、可動磁気検出部６２が元の位置に戻る。コントローラ７０は、ホール効果装置６４から検出信号を受信していないと、オゾン生成器５０のオゾン生成部５３の稼動をストップさせることになっている。このような構造設計により、従来の構造形態における水流検知の開閉制御構造が給水路に配置されて生じる、水中の夾雑物や汚れなどによる可動磁気検出部の作動への阻害、ないしオゾン生成の機能喪失などの懸念を解決することができる。
【００２１】
それに、オゾンの使用される予定対象物０６は、既存の蛇口の入水端に取り付けられたベンチュリ管（実施例は図示省略）の実施形態でもよいが、水流がベンチュリ管を通っている時の圧力差で、吸引流が生じることから、それに伴い、排出導管４０が同じく負圧になることで、具体的な実施可能な形態である。
【００２２】
上述した実施例に掲示したのは、本考案を具体的に説明するための内容であり、文の中で専門用語で説明してきたが、それを以って、本考案の実用新案登録請求範囲を制限してはならないものとし、当業者は、本考案のコンセプトや考えを理解したうえ、その改造や変更を行って、それと同等な効果を得たとしても、それらの改造や変更はいずれも後述した実用新案登録請求の範囲に含まれるものとする。
【符号の説明】
【００２３】
オゾン供給装置              ０５
予定対象物                  ０６
ハウジング                  １０
収納空間                    １１
混合器                      １２
送気部                      ２０
ろ過ユニット                ２１
オゾン排出口                ３０
チェック弁                  ３１
排出導管                    ４０
接続端                      ４１
延伸端                      ４２
オゾン生成器                ５０
ガス導入部                  ５１
オゾン導出部                ５２
オゾン生成部                ５３
気流検出ユニット            ６０
ガイド管                    ６１
下入口端                    ６１１
上出口端                    ６１２
ガイド区間                  ６１３
継ぎ管                      ６１４
可動磁気検出部              ６２
磁気体                      ６３
ホール効果装置              ６４
検出回路板                  ６５
通気部                      ６６
コントローラ                ７０
リブ                        ８０
蛇口                        Ａ
出水端                      Ａ１
【図１】
0003180039.tif 000003
【図２】
0003180039.tif 000004
【図３】
0003180039.tif 000005
【図４】
0003180039.tif 000006
【図５】
0003180039.tif 000007
【図６】
0003180039.tif 000008
【図７】
0003180039.tif 000009
【図８】
0003180039.tif 000010
【図９】
0003180039.tif 000011